(57)【要約】【課題】廃棄物焼却によって発生する熱を利用して廃棄物を乾燥させ、乾燥して低位発熱量が均一化した廃棄物を燃焼室に定量供給するとともに、廃棄物の低位発熱量の変動が大きくても燃焼安定性を確保することが可能な廃棄物焼却炉及び廃棄物焼却方法を提供する。【解決手段】ホッパ１に投入された廃棄物を給じん装置７のプッシャ２０によって燃焼室２の火格子９ａ上に供給して焼却する廃棄物焼却炉において、給じん装置７のプッシャ２０と、シュート１５から落下する廃棄物を受け、火格子９ａの上方まで移動する乾燥箱３を一体に設け、乾燥箱３で乾燥させた廃棄物を火格子９ａ上に落下させる。【選択図】図２
2019168186.tif 000002
【特許請求の範囲】
【請求項１】
ホッパに投入された廃棄物を給じん装置のプッシャによって燃焼室の火格子上に供給して焼却する廃棄物焼却炉において、
前記給じん装置の前記プッシャと、シュートから落下する廃棄物を受け、前記火格子の上方まで移動する乾燥箱を一体に設け、
前記乾燥箱で乾燥させた前記廃棄物を前記火格子上に落下させる廃棄物焼却炉。
【請求項２】
前記シュートの下部に開閉可能な仕切り板を設け、
前記仕切り板を開いて前記乾燥箱に廃棄物を格納することを特徴とする請求項１に記載の廃棄物焼却炉。
【請求項３】
前記乾燥箱の底部は、前記乾燥箱に貯留した前記廃棄物を前記火格子上に落下させることができるように開閉可能であることを特徴とする請求項１又は２に記載の廃棄物焼却炉。
【請求項４】
前記乾燥箱は、耐熱金属製又はセラミックス製であると共に通気可能であることを特徴とする請求項１ないし３のいずれか一項に記載の廃棄物焼却炉。
【請求項５】
ホッパに投入された廃棄物を給じん装置のプッシャによって燃焼室の火格子上に供給して焼却する廃棄物焼却方法において、
前記給じん装置の前記プッシャと、シュートから落下する廃棄物を受け、前記火格子の上方まで移動する乾燥箱を一体に設け、
前記乾燥箱で乾燥させた前記廃棄物を前記火格子上に落下させる廃棄物焼却方法。
【発明の詳細な説明】
【技術分野】
【０００１】
本発明は、都市ごみ等の廃棄物を焼却する廃棄物焼却炉及び廃棄物焼却方法に関する。
【背景技術】
【０００２】
都市ごみ等の廃棄物を焼却する廃棄物焼却炉として、火格子式の廃棄物焼却炉が用いられている。火格子式の廃棄物焼却炉は、廃棄物が投入されるホッパと、廃棄物を燃焼させる燃焼室と、を備える（特許文献１参照）。廃棄物はクレーンで掴みあげられ、ホッパに投入される。ホッパに投入された廃棄物は、給じん装置によって燃焼室内の火格子上に押し出される。火格子上の廃棄物は、火格子を移動しながら火格子の下から供給される燃焼用空気によって燃焼して灰になり、外部に排出される。
【先行技術文献】
【特許文献】
【０００３】
【特許文献１】特開２００５−１６４１２１号公報
【発明の開示】
【発明が解決しようとする課題】
【０００４】
ところで、廃棄物中の水分は、天気、季節、地域等により変動する。廃棄物中の水分が変動すると、燃焼時に水分を蒸発させる蒸発熱を必要とするので、廃棄物の低位発熱量が変動する。このため、不安定な燃焼を引き起こすおそれがある。
【０００５】
不安定な燃焼が生じると、完全燃焼が阻害され、すすやＣＯ等が発生するばかりか、排ガス中の腐食促進物質により燃焼室出口のボイラチューブの腐食量が増大したり、ボイラの蒸気発生量の変動が生じて、発電効率や売電計画に悪影響を与えたりする。
【０００６】
そこで本発明は、廃棄物焼却によって発生する熱を利用して廃棄物を乾燥させ、乾燥して低位発熱量が均一化した廃棄物を燃焼室に定量供給するとともに、廃棄物の低位発熱量の変動が大きくても燃焼安定性を確保することが可能な廃棄物焼却炉及び廃棄物焼却方法を提供することを目的とする。
【課題を解決するための手段】
【０００７】
上記課題を解決するために、本発明は、ホッパに投入された廃棄物を給じん装置のプッシャによって燃焼室の火格子上に供給して焼却する廃棄物焼却炉において、前記給じん装置のプッシャと、シュートから落下する廃棄物を受け、前記火格子の上方まで移動する乾燥箱を一体に設け、前記乾燥箱で乾燥させた前記廃棄物を前記火格子上に落下させる廃棄物焼却炉である。
【発明の効果】
【０００８】
本発明によれば、給じん装置にシュートから落下する廃棄物を受け、火格子の上方まで移動する乾燥箱を設けるので、燃焼室内の火炎により乾燥箱内の廃棄物を乾燥させることができる。また、乾燥箱は、一定量の廃棄物を貯留できるので、乾燥して低位発熱量が均一化した廃棄物を燃焼室に定量供給できる。
【図面の簡単な説明】
【０００９】
【図１】本発明の一実施形態の廃棄物焼却炉の縦断面図である。
【図２】本実施形態の廃棄物焼却炉の燃焼室の拡大図である。
【発明を実施するための形態】
【００１０】
以下、添付図面を参照して、本発明の実施形態の廃棄物焼却炉を詳細に説明する。ただし、本発明の廃棄物焼却炉は種々の形態で具体化することができ、明細書に記載される実施形態に限定されるものではない。本実施形態は、明細書の開示を十分にすることによって、当業者が発明を十分に理解できるようにする意図をもって提供されるものである。
【００１１】
図１に、本発明の一実施形態の廃棄物焼却炉の縦断面図を示す。本実施形態の廃棄物焼却炉は、ホッパ１、シュート１５、燃焼室２、乾燥箱３、燃焼室２の出口側に設けられるガス混合室４、ガス混合室４の下流側に設置されたボイラ５を備える。
【００１２】
クレーン６によってホッパ１に投入された廃棄物は、シュート１５を下降し、シュート１５から給じん装置７のプッシャの先端に設けた乾燥箱３に落下する。給じん装置７は、廃棄物を受けた乾燥箱３を火格子９ａの上方に、すなわち燃焼室２内（炉内）に移動させる。乾燥箱３が炉内にあるとき、乾燥箱３内の廃棄物は、炉内の火炎８により乾燥する。乾燥箱３にて乾燥した廃棄物は、乾燥箱３から火格子９ａ上に落下する。
【００１３】
火格子９ａ，９ｂ，９ｃは、燃焼室２の下部に設けられる。火格子９ａ，９ｂ，９ｃは、それぞれが可動火格子と固定火格子に分けられ、可動火格子の摺動運動により廃棄物の撹拌及び搬送を行う。廃棄物は、火格子９ａ，９ｂ，９ｃ上を上流側（図１の左側）から下流側（図１の右側）に移動する。火格子９ａ，９ｂ，９ｃには、火格子９ａ，９ｂ，９ｃ下の、搬送方向に４つに分割された風箱１１（上流側からＮｏ．１、Ｎｏ．２、Ｎｏ．３、Ｎｏ．４を付す）から一次燃焼用空気が供給される。風箱１１には、空気ブロワ１２から一次燃焼用空気が供給される。風箱１１に一次燃焼用空気を供給する量は、ダンパ１３によって調整される。
【００１４】
火格子９ａ，９ｂ，９ｃは、上流側から乾燥段（Ｎｏ．１の風箱上の火格子９ａ）、燃焼段（Ｎｏ．２、Ｎｏ．３の風箱上の火格子９ｂ）、後燃焼段（Ｎｏ．４の風箱上の火格子９ｃ）に分類される。乾燥段９ａでは、廃棄物を乾燥及び一部を熱分解させる。燃焼段９ｂでは、廃棄物を熱分解して、熱分解により発生させた可燃性ガス及び固形分を燃焼させる。後燃焼段９ｃでは、固定炭素などの未燃分を燃焼させる。燃焼後の灰は、灰落下口１８から排出される。
【００１５】
ガス混合室４には、空気ブロワ１４からの二次燃焼用空気が供給される。ガス混合室４では、燃焼室２で燃焼しきれなかった排ガス中の未燃ガスを完全燃焼させる。ガス混合室４で二次燃焼させた後の排ガスは、ボイラ５で熱回収された後に外部に放出される。
【００１６】
図２は、燃焼室２の拡大図を示す。１０はシュート１５の下部の仕切り板、３は給じん装置７の先端の乾燥箱、１６は受床、１７は落差壁、９ａ，９ｂ，９ｃはそれぞれ火格子の乾燥段、燃焼段、後燃焼段である。
【００１７】
乾燥箱３は、底部２２と、壁２３と、を備え、給じん装置７のプッシャ２０に対して一体に設けられる。また、乾燥箱３は、プッシャ２０に固定されてもよいし、プッシャ２０に揺動可能に連結されてもよい。
【００１８】
乾燥箱３の容積は、定格処理時の給じん１回当たりの炉内投入量以上の廃棄物を格納できる容積で、例えば定格処理量Ｍトン／日のとき、Ｍ／ｎ±１０％以上（ｎは給じん装置７の１日当たりの投入回数である）に設定される。
【００１９】
なお、乾燥箱３は、実線で示す受け位置と二点鎖線で示す乾燥段９ａ上方の乾燥位置との間を水平方向に移動可能である。受け位置では、乾燥箱３はシュート１５の下方にあり、シュート１５から落下する廃棄物を受ける。乾燥位置は、乾燥箱３の乾燥段９ａの上方、言い換えれば落差壁１７よりも炉内側にあり、乾燥箱３内の廃棄物を乾燥させる。また、給じん装置７のプッシャ２０は、乾燥箱３を受け位置と乾燥位置との間で移動させる。プッシャ２０の駆動源は、特に限定されるものではなく、例えばエアシリンダ、油圧シリンダ、電動シリンダ等を用いることができる。
【００２０】
乾燥箱３の底部２２は、乾燥箱３に貯留した廃棄物を乾燥段９ａ上に落下させることができるように開閉可能である。底部２２の開閉は、底部２２をヒンジ軸２２ａの回りに水平位置（すなわち閉じ位置）と垂直位置（すなわち開き位置）との間を回転させるドア式でもよいし、底部２２を水平方向にスライドさせるスライド式のいずれでもよいが、ドア式、スライド式以外の開閉方式を採用することもできる。図２にはドア式の底部２２を示す。乾燥箱３は、耐熱金属製又はセラミックス製であるが、耐熱性があれば、他の材質を使用することもできる。また、乾燥箱３は、炉内の気流が乾燥箱３を通過可能、すなわち通気可能なように網目状又は多数の穴空き状等である。
【００２１】
シュート１５の下部には、開閉可能な仕切り板１０が設けられる。仕切り板１０の開閉は、例えば仕切り板１０を水平方向にスライドさせるスライド式である。仕切り板１０を開くと、シュート１５内の廃棄物が切り出されて乾燥箱３内に格納される。仕切り板１０を閉じると、シュート１５内の廃棄物が切り出されることなく、シュート１５内に留まる。
【００２２】
炉内への廃棄物の供給手順は、以下のとおりである。まず、シュート１５の下部の仕切り板１０を開き、シュート１５内の廃棄物を受け位置にある乾燥箱３に所定量格納する。次に、仕切り板１０を閉じ、給じん装置７が乾燥箱３を受け位置から乾燥位置まで移動させる。
【００２３】
給じん装置７は、乾燥箱３を乾燥位置に置いたまま一定時間ｔ保持する。乾燥箱３内の廃棄物は、燃焼室２内の火炎８のふく射熱及び対流熱により乾燥する。ここで、１日当たりの廃棄物処理計画によって給じん装置７の投入回数が決定され、給じん装置７の投入回数によって一定時間ｔが決定される。例えば、１日当たりの給じん装置７の投入回数がｎの場合、一定時間ｔは２４／ｎ（時間）で表される。
【００２４】
一定時間ｔ経過後、乾燥箱３の底部２２を開き、乾燥した廃棄物を乾燥段９ａ上に落下させる。乾燥段９ａ上に落下した廃棄物は、従来の廃棄物焼却炉と同様に焼却処理される。
【００２５】
なお、本発明は上記実施形態に具現化されるのに限られることはなく、本発明の要旨を変更しない範囲で他の実施形態に変更可能である。
【００２６】
例えば、上記実施形態では、火格子下の風箱を４つに分割しているが、風箱の分割数は４に限られることはなく、１以上にすることができる。
【００２７】
上記実施形態では、可動火格子の摺動運動によって、廃棄物の搬送を行っているが、廃棄物がその自重によって移動するように火格子を傾斜させることもできる。
【符号の説明】
【００２８】
１…ホッパ
２…燃焼室
３…乾燥箱
７…給じん装置
９ａ，９ｂ，９ｃ…火格子
１０…仕切り板
１５…シュート
２０…プッシャ
２２…乾燥箱の底部
【図１】
2019168186.tif 000003
【図２】
2019168186.tif 000004